(57)【要約】【課題】敷居面に段差を新たに発生させることなく簡易かつ低コストに３枚目の障子を設けて有効開口寸法を大きくできるサッシを提供する。【解決手段】上下枠及び左右の縦枠を方形状に枠組みした枠体１内に障子２、３、４を納めると共に、縦枠３０を左右の溝形材８間に取付けてなり、障子は枠体１内を移動可能な第１障子２及び第２障子３と、枠体１に固定される第３障子４とからなり、枠体１の上枠１０及び／または下枠２０には見付面より見込方向外側に突出する固定部材５０、５１が固着され、固定部材５０、５１により枠体１の見付面１３、２５より見込方向外側に第３障子４が取付けられる。【選択図】図１
2011202483.tif 000002
【特許請求の範囲】
【請求項１】
上下枠及び左右の縦枠を方形状に枠組みした枠体内に障子を納めると共に、前記縦枠を左右の溝形材間に取付けてなるサッシにおいて、
前記障子は前記枠体内を移動可能な第１障子及び第２障子と、前記枠体に固定される第３障子とからなり、
前記枠体の上枠及び／または下枠には見付面より見込方向外側に突出する固定部材が固着され、該固定部材により前記枠体の見付面より見込方向外側に前記第３障子が取付けられることを特徴とするサッシ。
【請求項２】
前記固定部材は前記枠体の見付面のうち前記第３障子が配置される領域にのみ渡るように設けられ固着されることを特徴とする請求項１記載のサッシ。
【請求項３】
前記第１障子と第２障子及び第３障子は、いずれも方形状に框組みされてなる框体内にガラス体を納めてなることを特徴とする請求項１または２記載のサッシ。
【請求項４】
前記第３障子は外周面に前記縦枠と当接する当接部を有することを特徴とする請求項１〜３のいずれか１項に記載のサッシ。
【請求項５】
前記上枠には前記第３障子の上端部を保持固定する上固定部材が固着され、前記下枠には前記第３障子の下端部を保持固定する下固定部材が固着されることを特徴とする請求項１〜４のいずれか１項に記載のサッシ。
【発明の詳細な説明】
【技術分野】
【０００１】
本発明は、建物の開口部に設けられる左右一対の溝形材間に取付けられるサッシに関し、特に枠体に３枚の障子を設けてなるサッシに関する。
【背景技術】
【０００２】
従来、仮設校舎等で用いられる組立ハウスとしては、左右両側にパネル材を飲み込ませることのできる凹部を有した溝形材が支柱として縦方向に設けられ、隣り合う溝形材間にパネル材を納めて壁面とするものが知られている。また、壁面内には適宜パネル体が配置されない開口部が設けられ、この開口部にサッシが取付けられる。この場合、サッシの縦枠を左右の溝形材間に上から落とし込むことで取付けがなされる。サッシを溝形材間に取付けたら、サッシの上枠の上方にさらにパネル材を取付ける。
【０００３】
仮設校舎における部屋の出入口となる引戸サッシについては、障子を全開状態としたときの有効開口寸法を基準以上とする必要がある。内外２枚の障子が枠体内に納められる２枚引きのサッシよりも有効開口寸法を大きくするためには、枠体内に３枚の障子が納められた３枚引きのサッシとすることが有効である。
【０００４】
３枚引きのサッシとする場合、枠体の見込方向寸法を大きく形成することも考えられるが、この場合には２枚引きのサッシとは根本的に設計が異なってくるため、部品を別々に形成するなど、コストアップを招く。このため、２枚障子用の枠体に対し、四周に渡る補助枠体を取付け、補助枠体に３枚目の障子を移動自在に納めて、３枚引きのサッシとしたものが知られている。このようなサッシは、例えば特許文献１に開示されている。
【先行技術文献】
【特許文献】
【０００５】
【特許文献１】特開２００７−１３８４７６号公報
【発明の概要】
【発明が解決しようとする課題】
【０００６】
しかし、補助枠体を設ける場合であっても、補助枠体を枠体の四周に渡って取付ける必要があり、組み立て作業が大掛かりになると共に、部品点数も増加して材料費がかかるという問題があった。また、出入りする敷居面に３本のレールが形成されることとなるため、段差が多くなるという問題もあった。
【０００７】
本発明は前記課題を鑑みてなされたものであり、敷居面に段差を新たに発生させることなく簡易かつ低コストに３枚目の障子を設けて有効開口寸法を大きくできるサッシを提供することを目的とする。
【課題を解決するための手段】
【０００８】
前記課題を解決するため、本発明に係るサッシは、上下枠及び左右の縦枠を方形状に枠組みした枠体内に障子を納めると共に、前記縦枠を左右の溝形材間に取付けてなるサッシにおいて、
前記障子は前記枠体内を移動可能な第１障子及び第２障子と、前記枠体に固定される第３障子とからなり、
前記枠体の上枠及び／または下枠には見付面より見込方向外側に突出する固定部材が固着され、該固定部材により前記枠体の見付面より見込方向外側に前記第３障子が取付けられることを特徴として構成されている。
【０００９】
また、本発明に係るサッシは、前記固定部材は前記枠体の見付面のうち前記第３障子が配置される領域にのみ渡るように設けられ固着されることを特徴として構成されている。
【００１０】
さらに、本発明に係るサッシは、前記第１障子と第２障子及び第３障子は、いずれも方形状に框組みされてなる框体内にガラス体を納めてなることを特徴として構成されている。
【００１１】
さらにまた、本発明に係るサッシは、前記第３障子は外周面に前記縦枠と当接する当接部を有することを特徴として構成されている。
【００１２】
そして、本発明に係るサッシは、前記上枠には前記第３障子の上端部を保持固定する上固定部材が固着され、前記下枠には前記第３障子の下端部を保持固定する下固定部材が固着されることを特徴として構成されている。
【発明の効果】
【００１３】
本発明に係るサッシによれば、枠体の上枠及び／または下枠には見付面より見込方向外側に突出する固定部材が固着され、固定部材により枠体の見付面より見込方向外側に第３障子が取付けられることにより、第３障子を上辺と下辺のみで枠体に固定するため、簡易な構成で３枚目の障子を枠体に対し追加的に設けることができる。
【００１４】
また、本発明に係るサッシによれば、固定部材は枠体の見付面のうち第３障子が配置される領域にのみ渡るように設けられ固着されることにより、固定部材の材料費を低減し、また下枠の敷居面に固定部材が設けられないので、敷居面における段差を新たに発生させることなく３枚目の障子を設けることができる。
【００１５】
さらに、本発明に係るサッシによれば、第１障子と第２障子及び第３障子は、いずれも方形状に框組みされてなる框体内にガラス体を納めてなることにより、外観のすっきりしたサッシとすることができる。
【００１６】
さらにまた、本発明に係るサッシによれば、第３障子は外周面に縦枠と当接する当接部を有することにより、枠体と障子の間の隙間を塞いで光漏れや水漏れなどを防止すると共に、風が通らないようにすることができる。
【００１７】
そして、本発明に係るサッシによれば、上枠には第３障子の上端部を保持固定する上固定部材が固着され、下枠には第３障子の下端部を保持固定する下固定部材が固着されることにより、上枠と下枠にそれぞれ第３障子の固定のための部品を別々に設けるので、部品の構成を簡素にすることができる。
【図面の簡単な説明】
【００１８】
【図１】本実施形態におけるサッシの室外側から見た正面図である。
【図２】図１において障子を開いた状態の正面図である。
【図３】本実施形態におけるサッシの縦断面図である。
【図４】サッシの横断面図である。
【図５】障子を全開状態としたサッシの横断面図である。
【図６】サッシの正面図における上固定部材付近の拡大図である。
【図７】サッシの横断面図における第３障子と縦枠付近の拡大図である。
【図８】縦枠と縦框の隙間を塞ぐ第２の形態の図である。
【図９】縦枠と縦框の隙間を塞ぐ第３の形態の図である。
【発明を実施するための形態】
【００１９】
本発明の実施形態について、図面に沿って詳細に説明する。図１には本実施形態におけるサッシの室外側から見た正面図を、図２には図１において障子を開いた状態の正面図を、それぞれ示している。本実施形態におけるサッシは、枠体１内に室内側の第１障子２と室外側の第２障子３とを引き違い状に納め、さらにその室外側に固定された第３障子４を納めてなるものである。これら第１障子２と第２障子３及び第３障子４は、内観及び外観において、左右方向に連続して並んでいる。第２障子３の縦辺には第１障子２との施錠をなす錠部３ａが、第３障子４の縦辺には第２障子３との施錠をなす錠部４ａが、それぞれ設けられていて、室内側から障子の施錠をなすことができるようにされている。
【００２０】
第１障子２と第２障子３は、枠体１内を左右に移動可能とされている。一方で、第３障子４は、枠体１に固定されているので、移動することはできない。図２に示すように、第１障子２と第２障子３は、第３障子４が固定されている側に移動し寄せられることで、サッシが開口し、人が内外を出入りすることができるようになる。このように、第１障子２と第２障子３を第３障子４と内外方向において重なり合うように移動させることができるので、第１障子２と第２障子３のみからなる引き違いサッシに比べて、左右方向の有効開口寸法を大きくすることができる。
【００２１】
第１障子２と第２障子３及び第３障子４は、いずれも方形状の框体５内にガラス体６を納めて構成されている。引き違い状の第１障子２と第２障子３のみならず、固定障子となる第３障子４もガラス体６を納めた構成となっているので、外観をすっきりさせることができる。
【００２２】
図３には本実施形態におけるサッシの縦断面図を、図４にはサッシの横断面図を、それぞれ示している。本実施形態におけるサッシは、組立ハウスの開口部Ａに取付けられ、開口部Ａは、上辺及び左右辺がパネル材７によって、下辺が床面９によって、それぞれ構成されている。枠体１は、上枠１０と下枠２０及び左右の縦枠３０、３０を方形状に枠組みして構成されている。図３に示すように、上枠１０は外周面が開口部Ａを構成する上側のパネル材７に接し、下枠１１は外周面が開口部Ａを構成する床面９に接している。一方、図４に示すように左右の縦枠３０は、組立ハウスの支柱となる溝形材８を介してパネル材７と対向している。
【００２３】
溝形材８は、室内外方向に延びる基部８ａを中心に、パネル材７側には基部８ａを底面とした溝状に形成されるパネル材保持部８ｂが、枠体１側には基部８ａを底面とした溝状に形成される縦枠保持部８ｃが、それぞれ形成されている。パネル材保持部８ｂの開口幅と縦枠保持部８ｃの開口幅は、それぞれパネル材７の厚みと縦枠３０の外周面に形成される中空部３１の室内外方向幅とに略適合するように形成されている。
【００２４】
枠体１を開口部Ａに取付ける際には、床面９に左右の溝形材８を立設し、上側については開放状としておく。ここで縦枠３０の中空部３１を溝形材８の縦枠保持部８ｃに保持させた上で、上方から下枠２０が床面９に当接するまで落とし込み、その後に上側のパネル材７を取付けることにより、枠体１が開口部Ａに取付けられる。
【００２５】
第１障子２と第２障子３及び第３障子４は、いずれも上框４０と下框４１及び左右の縦框４２、４２を方形状に框組みしてなる框体５内にガラス体６を納めてなるものである。框体５の上下方向中間位置には、左右の縦框４２間を渡すように横桟４３が設けられており、ガラス体６は各障子毎に横桟４３を挟んで上下２枚が設けられる。
【００２６】
図４に示すように、第１障子２の召合わせ側の縦框４２の室外側面には、断面略Ｌ字状に突出する第１煙返し部４５ａが形成され、第２障子３の第１障子２と向き合う縦框４２には、第１障子２の第１煙返し部４５ａと噛み合うように第２煙返し部４５ｂが形成される。また、第２障子３の第３障子４と向き合う縦框４２にも、第２煙返し部４５ｂが形成される。さらに、第３障子４の召合わせ側の縦框４２には、第２障子３の第２煙返し部４５ｂと噛み合うように第３煙返し部４５ｃが形成される。第１障子２と第２障子３は、第１煙返し部４５ａと第２煙返し部４５ｂが噛み合うように配置されているので、一方を移動させるのに伴い、他方も移動させることができる。
【００２７】
図３に示すように、第１障子２と第２障子３及び第３障子４の上框４０は、いずれも同じ断面形状を有し、第１障子２と第２障子３及び第３障子４の下框４１についても、同じ断面形状を有している。すなわち、各障子に共通した部材を用いている。また、図４に示すように、第１障子２を構成し第２障子３との召合わせ框となる縦框４２と、第２障子３を構成し第３障子４との召合わせ框となる縦框４２は、断面形状が共通する部材を用いている。また、第２障子を構成し第１障子２との召合わせ框となる縦框４２と、第３障子４を構成する両側の縦框４２は、断面形状が共通する部材を用いている。このように、部材の共有化により、部品の種類を減らしてコストダウンを図っている。
【００２８】
図３に示すように、第１障子２と第２障子３及び第３障子４は、同じ高さを有してなり、また第１障子２と第２障子３が下枠２０のレールに載置され、第３障子４が後述する下固定部材５１に載置された状態で、各障子の高さ方向位置が揃うように配置されているので、意匠性も良好にすることができる。
【００２９】
第１障子２と第２障子３の下框４１の下部には戸車４１ａが設けられており、これが下枠２０の上面に形成される内レール２１及び外レール２２に載置されて、第１障子２及び第２障子３を枠体１の左右方向に走行自在としている。
【００３０】
図４に示すように、下枠２０の上面には、第１障子２を案内する内レール２１と第２障子３を案内する外レール２２にそれぞれ第１障子ストッパー２３と第２障子ストッパー２４が設けられている。また、第１障子２の縦框４２を構成する召合わせ框には、外周面に框当接部材４４が設けられている。框当接部材４４は、第１障子２を開く方向、すなわち第２障子３側に移動させた際に、第２障子３の召合わせ框に対して当接するものであって、各障子の召合わせ框同士が直接衝突しないように設けられている。
【００３１】
図５には、障子を全開状態としたサッシの横断面図を示している。この図に示すように、第１障子２は下枠２０の第１障子ストッパー２３に、第２障子３は下枠２０の第２障子ストッパー２４に、それぞれ縦框４２の側面下端部が当接して、それ以上移動できない全開状態となる。これにより、第１障子２と縦枠３０との間が開口し、下枠２０に敷居面２６が形成されて、人が出入りすることができるようになる。図５では、敷居面２６の領域について、長手方向を省略して示しているが、実際には図２のように大きく開口する。なお、下枠２０の敷居面２６には、内レール２１と外レール２２が、段差として存在している。
【００３２】
次に、第３障子４の固定構造について説明する。図３に示すように、枠体１を構成する上枠１０と下枠２０には、見付面である室外側面１３、２５から見込方向外側である室外側に向かって突出するように、それぞれ上固定部材５０と下固定部材５１が設けられており、第３障子４はこれらの上固定部材５０と下固定部材５１により保持固定されている。
【００３３】
図１に示すように、上固定部材５０と下固定部材５１は、いずれも枠体１の見付面のうち、第３障子４が設けられる領域にのみ渡るように形成されている。すなわち、上固定部材５０と下固定部材５１は、いずれも長手方向の長さが第３障子４の左右方向幅と略同幅となるように形成されている。
【００３４】
図３に示すように、上固定部材５０は、薄板を断面クランク状に形成してなり、上枠１０の見付面である室外側面１３に対して当接しネジ止め固定される上枠固定面部５０ａと、上枠固定面部５０ａの下端から室外側にＬ字状に突出し第３障子４の上端部を保持固定する上框固定部５０ｂとを有している。上框固定部５０ｂは、第３障子４の上框４０に対し、上端面から室外側面に渡って抱き込むように当接する。第３障子４は、縦框４２に形成される第３煙返し部４５ｃが、上端部で上枠１０と干渉しないように切り欠かれており、この切欠加工された第３煙返し部４５ｃの上端部が、上枠１０の室外面に当接している。このように、第３障子４は上框４０の室外側面が上固定部材５０に当接し、縦框４２の第３煙返し部４５ｃが上枠１０の室外面に当接することで、見込方向に対して固定されている。
【００３５】
本実施形態では、上固定部材５０と第３障子４は、直接当接しているが、上框４０の室外面と上固定部材５０の上框固定部５０ｂとの間や、縦框４２の第３煙返し部４５ｃと上枠１０の室外面の間に、クッション材を挟むようにしてもよい。
【００３６】
下固定部材５１は、断面中空状に形成されてなる中空部５１ｃと、中空部５１ｃの室内面から室内側に向かって伸びる下枠固定面部５１ａと、中空部５１ｃの上面から上方に向かって伸びる下框固定部５１ｂとを有して構成されている。中空部５１ｃは、室内側面が下枠２０の見付面である室外側面２５に対して当接する。また、下枠固定面部５１ａは、下枠２０の上面に対して当接し、ネジ止め固定される。第３障子４を構成する下框４１の下端部は、凹状に形成されており、下框固定部５１ｂは、その内面側に当接しネジ止め固定される。
【００３７】
下固定部材５１の下枠固定面部５１ａは、下面側にリブ５１ｄを有し、このリブ５１ｄが下枠２０の上面に当接することで、下枠２０の上面と若干離隔するように配置される。この状態で、両者がビス固定され、ビスの頭部はリブ５１ｄにより形成された空間内に納められる。また、下固定部材５１の下框固定部５１ｂは、第３障子４の下框４１に形成されるビスホールを避けるように、クランク状に屈曲して上方に伸びており、上端部分は下框４１の内面に当接し、ネジ止め固定されている。
【００３８】
上枠１０及び下枠２０の見付面より見込方向外側に突出するこれらの上固定部材５０及び下固定部材５１によって、第３障子４は、枠体１の見付面より見込方向外側に配置された状態で上辺と下辺がそれぞれ枠体１に固定され、嵌め殺しの障子となる。なお、第３障子４は上辺と下辺のみが固定され、縦辺である縦框４２は直接固定されていない。
【００３９】
図６には、サッシの正面図における上固定部材５０付近の拡大図を示している。この図に示すように、上固定部材５０の上枠固定面部５０ａには、ネジ止め固定のための固定孔５０ｃが複数形成されている。固定孔５０ｃは、上下方向に長い長孔として形成されている。上枠１０は、特に左右方向に長いスパンを有する場合、撓みが生じることがあるが、固定孔５０ｃが長孔となっているため、上固定部材５０を上枠１０の長手方向に沿って確実に固定することができる。また、図３及び図６に示されているように、上固定部材５０の固定孔５０ｃが設けられる領域には、上枠１０の裏側に裏板５２が設けられ、連結強度の向上を図っている。
【００４０】
図７には、サッシの横断面図における第３障子４と縦枠３０付近の拡大図を示している。第３障子４は上固定部材５０と下固定部材５１により枠体１に対して固定されるので、縦框４２は枠体１に対して直接固定はされていない。一方で、縦框４２と縦枠３０の間の隙間をなくして光が漏れることなどを防止するため、縦框４２には縦枠３０に対して当接する当接部４２ａが形成されている。また、図７に現れているように、下固定部材５１の中空部５１ｃには両端部に端部キャップ５１ｄが取付けられており、これによって下固定部材５１の中空内部を塞ぐようにしている。
【００４１】
縦枠３０の内周面には、室外端部に見付方向内側に向かって突出する室外フィン部３０ａが形成されており、また縦框４２の当接部４２ａにはシール部材４２ｂが設けられている。縦枠３０の室外フィン部３０ａの先端が、縦框４２の当接部４２ａに設けられたシール部材４２ｂに対して当接し、これによって縦枠３０と縦框４２の間の隙間を塞ぐようにしている。
【００４２】
縦枠３０と縦框４２の隙間を塞ぐための構成としてはその他の形態も考えられる。図８には、縦枠３０と縦框４２の隙間を塞ぐ第２の形態について示している。この図のように、本形態では、縦框４２の外周面に対し、当接部４２ａを有する延出部材４２ｃをネジ止め固定している。延出部材４２ｃは、縦框４２の外周面に沿う部分から室内側にＬ字状をなすように突出しており、その先端側の面が当接部４２ａとなっていて、縦枠３０の室外フィン部３０ａと噛み合うように配置される。
【００４３】
図９には、縦枠３０と縦框４２の隙間を塞ぐ第３の形態について示している。この図のように、本形態では、縦框４２に当接部４２ａが一体的に形成されており、縦框の外周面から室内側にＬ字状をなすように突出させた先端側の面を当接部４２ａとしている。
【００４４】
以上のように、枠体１内に第１障子２と第２障子３を引き違い状に納め、さらに枠体１の上枠１０と下枠２０にそれぞれ上固定部材５０と下固定部材５１を固着し、これらによって第３障子４の上辺と下辺を固定し嵌め殺し状とすることにより、第３障子４を固定するために枠体１に設けられるのが、第３障子４の領域にのみ渡る上固定部材５０と下固定部材５１だけであり、簡易な構成で第３障子４を追加的に設けることができる。
【００４５】
また、上固定部材５０と下固定部材５１が枠体１の全長に渡っていないので、材料費を抑えることができ、また下枠２０の敷居面２６に第３障子４を固定するための部材が配置されないので、敷居面２６の段差を多くすることなく、室内外の出入りをし易くすることができる。一方で、上固定部材５０と下固定部材５１は、第３障子４の左右方向全長に渡る長さを有しているので、第３障子４を構成する左右の縦框４２の端面を塞ぐことができる。
【００４６】
本実施形態では、枠体１の見付面のうち室外側面より室外側に第３障子４を固定する構成としたが、枠体１の見付面のうち室内側面より室内側に第３障子４を固定するようにしてもよい。また、本実施形態では、上固定部材５０と下固定部材５１の両方で第３障子４を固定するようにしているが、いずれか一方だけで第３障子４を固定するようにしてもよい。ただし、両方で固定した方が、第３障子４をより強固に枠体１に対して固定できることは、言うまでもない。
【００４７】
また、本実施形態では、第３障子４の当接部４２ａと縦枠３０の室外フィン部３０ａとの間に、シール部材４２ｂを設けて遮光性を高くしているが、水密性、気密性を高くしたい場合には、水密材を設けることもできる。また、水密性、気密性を高くしたい場合には、第１障子２の縦枠３０側縦框４２の縦枠フィン部と対向する面と、第２障子３の第１障子２側縦框４２の室内面と、第３障子４の第２障子３側縦框４２の室内面に、それぞれモヘア材等の水密・気密性を高める部材を設けてもよい。
【００４８】
以上、本発明の実施形態について説明したが、本発明の適用は本実施形態には限られず、その技術的思想の範囲内において様々に適用されうるものである。例えば、本実施形態では、第３障子４の上框４０と上固定部材５０との固定は、上框固定部５０ｂにより第３障子４の上端部を抱きかかえるようにしているが、上框固定部５０ｂと上框４０とをネジ止め固定するようにしてもよく、固定方法は限定されない。一方、第３障子４の下框４１と下固定部材５１との固定は、下框固定部５１ｂと下框４１とをネジ止め固定するようにしているが、下框固定部５１ｂを下框４１の下端部に嵌合させるような形態であってもよく、固定方法は限定されない。
【符号の説明】
【００４９】
１    枠体
２    第１障子
３    第２障子
４    第３障子
５    框体
６    ガラス体
７    パネル材
８    溝形材
１０    上枠
２０    下枠
３０    縦枠
４０    上框
４１    下框
４２    縦框
４４    框当接部材
５０    上固定部材
５０ａ  上枠固定面部
５０ｂ  上框固定部
５０ｃ  固定孔
５１    下固定部材
５１ａ  下枠固定面部
５１ｂ  下框固定部
５１ｃ  中空部
【図１】
2011202483.tif 000003
【図２】
2011202483.tif 000004
【図３】
2011202483.tif 000005
【図４】
2011202483.tif 000006
【図５】
2011202483.tif 000007
【図６】
2011202483.tif 000008
【図７】
2011202483.tif 000009
【図８】
2011202483.tif 000010
【図９】
2011202483.tif 000011